(57)【要約】【課題】歯科用診療装置に設けられた液体用管路内の残留液体を排出するための作業性の向上を図る。【解決手段】歯科用診療装置に設けられた液体供給系内の残留液体の排出が行われる際にインスツルメントの端部が取り付けられ、端部を保持する保持部材８であって、弾性材料により構成され、端部が取り付けられると、取り付けられた端部により弾性変形して端部を保持する保持部材８である。【選択図】図３
2019180860.tif 000002
【特許請求の範囲】
【請求項１】
歯科用診療装置に設けられた液体用管路内の残留液体の排出が行われる際に当該液体用管路に接続される診療器具が取り付けられ、当該診療器具を保持する保持部材であって、
弾性材料により構成され、前記診療器具が取り付けられると、取り付けられた当該診療器具により弾性変形して当該診療器具を保持する保持部材。
【請求項２】
前記診療器具を保持する保持部を有し、当該診療器具が挿入されると、挿入された当該診療器具の外形に応じて当該保持部が弾性変形すること
を特徴とする請求項１記載の保持部材。
【請求項３】
前記弾性材料はシリコーンゴムであり、
前記保持部は、挿入された前記診療器具の外形に応じて弾性変形する箇所に応じて肉厚を変えること、を特徴とする請求項２記載の保持部材。
【請求項４】
前記保持部は、複数の内径または内面形状を有する貫通孔が複数設けられ、個々の当該貫通孔にて、異なる内径または内面形状の箇所にて前記肉厚が異なる部分を有することを特徴とする請求項３記載の保持部材。
【請求項５】
複数の前記貫通孔は、同様な機能を有する複数種類の前記診療器具を挿入可能であることを特徴とする請求項４記載の保持部材。
【請求項６】
前記歯科用診療装置に取り付ける取り付け部を備え、
前記複数の貫通孔は、前記取り付け部に対して複数列を有して配置されることを特徴とする請求項４記載の保持部材。
【請求項７】
前記取り付け部は、患者が口腔内から排出した廃液を受ける廃液受け部の縁部に引っ掛け可能な凹形状で形成され、当該縁部が入る入り口側よりも奥側が広くなっていることを特徴とする請求項６記載の保持部材。
【請求項８】
前記診療器具は、操作されると前記管路の液体を出す第１レバーおよび操作されると当該管路で供給される空気を出す第２レバーを有し、
前記診療器具を保持する前記貫通孔は、当該診療器具が挿入された際、前記第１レバーを操作する一方で前記第２レバーを操作しない形状の内面を持つことを特徴とする請求項４記載の保持部材。
【請求項９】
患者が口腔内から排出した廃液を受ける廃液受け部の縁部から離れる方向に凸の円弧外面を持つことを特徴とする請求項１記載の保持部材。
【請求項１０】
歯科用の診療器具と、
前記診療器具に接続された管路に液体を供給するための内部配管と、
患者が口腔内から排出した廃液を受ける廃液受け部と、
前記廃液受け部に取り付けられ、請求項１ないし９何れか１項に記載の保持部材と、
を備える歯科用診療装置。
【発明の詳細な説明】
【技術分野】
【０００１】
本発明は、保持部材および歯科用診療装置に関するものである。
【背景技術】
【０００２】
特許文献１には、術者用インスツルメントを挿着し得る差込孔を備え、これら差込孔に挿着された術者用インスツルメントの給水管路中の残留水をスピットンに排出する為、スピットンに設置可能とされる放水皿と、補助者用キャビネット内に設置され、補助者用インスツルメントを挿着し得る差込孔を備え、これら差込孔に挿着された補助者用インスツルメントの給水管路中の残留水を排出する為の洗浄タンクとを備え、術者用インスツルメントの給水管路及び補助者用インスツルメントの給水管路中の残留水の排出が、共通の水元及び主給水管路から新たな水を給送することによって、同時又は順次なされるようにした構成が開示されている。
【先行技術文献】
【特許文献】
【０００３】
【特許文献１】特開２００７−３３０７５５号公報
【発明の概要】
【発明が解決しようとする課題】
【０００４】
ここで、歯科診療装置を使用した歯科診療に先立ち、歯科診療装置に設けられた液体用管路内に残留した残留液体の排出が行われることがある。すなわち、液体用管路に接続される診療器具を、廃液受け部に設置した保持具で保持し、残留液体が診療器具から廃液受け部に流れるようにする。しかしながら、診療器具を保持具に保持させる際、保持具と診療器具との間にがたつきがある等で不安定な場合、残留液体の排出中に保持具から診療器具が外れるおそれがあり、残留液体の排出を終了するまでの作業性の向上を図ることが困難である。
本発明の目的は、歯科用診療装置に設けられた液体用管路内の残留液体を排出するための作業性の向上を図ることにある。
【課題を解決するための手段】
【０００５】
本発明が適用される保持部材は、歯科用診療装置に設けられた液体用管路内の残留液体の排出が行われる際に当該液体用管路に接続される診療器具が取り付けられ、当該診療器具を保持する保持部材であって、弾性材料により構成され、前記診療器具が取り付けられると、取り付けられた当該診療器具により弾性変形して当該診療器具を保持する保持部材である。
ここで、前記診療器具を保持する保持部を有し、当該診療器具が挿入されると、挿入された当該診療器具の外形に応じて当該保持部が弾性変形することを特徴とすることができる。また、前記弾性材料はシリコーンゴムであり、前記保持部は、挿入された前記診療器具の外形に応じて弾性変形する箇所に応じて肉厚を変えること、を特徴とすることができる。さらに、前記保持部は、複数の内径または内面形状を有する貫通孔が複数設けられ、個々の当該貫通孔にて、異なる内径または内面形状の箇所にて前記肉厚が異なる部分を有することを特徴とすることができる。またさらに、複数の前記貫通孔は、同様な機能を有する複数種類の前記診療器具を挿入可能であることを特徴とすることができる。
さらにまた、前記歯科用診療装置に取り付ける取り付け部を備え、前記複数の貫通孔は、前記取り付け部に対して複数列を有して配置されることを特徴とすることができる。この場合、前記取り付け部は、患者が口腔内から排出した廃液を受ける廃液受け部の縁部に引っ掛け可能な凹形状で形成され、当該縁部が入る入り口側よりも奥側が広くなっていることを特徴とすることができる。
また、前記診療器具は、操作されると前記管路の液体を出す第１レバーおよび操作されると当該管路で供給される空気を出す第２レバーを有し、前記診療器具を保持する前記貫通孔は、当該診療器具が挿入された際、前記第１レバーを操作する一方で前記第２レバーを操作しない形状の内面を持つことを特徴とすることができる。
また、患者が口腔内から排出した廃液を受ける廃液受け部の縁部から離れる方向に凸の円弧外面を持つことを特徴とすることができる。
他の観点から捉えると、本発明が適用される歯科用診療装置は、歯科用の診療器具と、前記診療器具に接続された管路に液体を供給するための内部配管と、患者が口腔内から排出した廃液を受ける廃液受け部と、前記廃液受け部に取り付けられ、請求項１ないし９何れか１項に記載の保持部材と、を備える歯科用診療装置ものである。
【発明の効果】
【０００６】
本発明によれば、歯科用診療装置に設けられた液体用管路内の残留液体を排出するための作業性の向上を図ることが可能になる。
【図面の簡単な説明】
【０００７】
【図１】本実施形態に係る歯科用診療装置の全体構成を示した斜視図である。
【図２】診療器具に液体を供給する液体供給系を説明するブロック図である。
【図３】供給装置に保持具が設置された状態の一例を示す図であり、（ａ）は斜視図、（ｂ）は側面図である。
【図４】保持具の構成を説明する斜視図である。
【図５】保持具の構成を説明する平面図である。
【図６】図５の線Ａ−Ａによる保持部を説明する断面図である。
【図７】図６において診療器具を保持した状態を示す断面図である。
【図８】図５の線Ｂ−Ｂによる保持部を説明する断面図である。
【図９】図８において診療器具を保持した状態を示す断面図である。
【図１０】図５の線Ｃ−Ｃによる保持部を説明する断面図である。
【図１１】図１０において診療器具を保持した状態を示す断面図である。
【図１２】図５の線Ｄ−Ｄによる保持部および診療器具を図示する断面図である。
【図１３】図１２において他の診療器具を保持した状態を部分的に破断して示す斜視図である。
【図１４】図１２において他の診療器具を保持した状態を部分的に破断して示す斜視図である。
【発明を実施するための形態】
【０００８】
以下、添付図面を参照して、本発明の実施形態について説明する。
図１は、本実施形態に係る歯科用診療装置１の全体構成を示した斜視図である。
同図に示すように、本実施形態の歯科用診療装置１では、床面の上に、診療台２が設けられている。ここで、この診療台２は、基台２１と、基台２１により支持され昇降可能に設けられた座板２２と、一端が座板２２に取り付けられこの一端を中心に回転可能に設けられた背板２３と、背板２３に取り付けられ患者の頭を支えるヘッドレスト２４とを有している。
【０００９】
さらに、本実施形態の歯科用診療装置１では、診療台２の脇に、ドクター用のトレーテーブル３１が設けられるとともに、ドクター用の診療器具６を抜き差し自在に保持するためのホルダ３２が設けられている。なお、このホルダ３２は、トレーテーブル３１に取り付けられている。さらに、本実施形態では、診療台２を挟みトレーテーブル３１の反対側に、アシスタント用の診療器具６を抜き差し自在に保持するためのホルダ３３が設けられている。また、本実施形態では、光源を備えたデンタルライト５６、このデンタルライト５６を支持するアーム５７、このアーム５７を支持する支柱５８が設けられている。
【００１０】
ここにいう診療器具６とは、液体を供給するためのチューブ７と不図示のインスツルメントを接続する部品、スリーウェイシリンジ（歯科用口腔洗浄器）またはマイクロモータハンドピース（歯科用電気回転駆動装置）等の各種の器具をいい、歯科用電気回転駆動装置や歯科用空気回転駆動装置、歯科用口腔洗浄器等が含まれる。
なお、ここにいうインスツルメントとは、チューブ７の端部に取り付けられるハンドピースをいい、例えば、歯科用ガス圧式ハンドピース、歯科用多目的超音波治療器、歯科用エアースケーラ、超音波歯周用スケーラ、歯科重合用光照射器、歯科用口腔内カメラのほか、歯科用根管拡大装置等が含まれる。
付言すると、アシスタント用の診療器具６としては、例えば、患者の口腔内の唾液、血液、切削屑など（以下、「廃液」と称することがある）を吸引する吸引用器具を挙げることができる。この吸引用器具としては、サクションシリンジ（バキュームシリンジ）や、サライバエジェクタ等がある。なお、この吸引用器具は、コンプレッサーやポンプなどの不図示の吸気源に接続されており、この吸気源にて吸気が行われることで、廃液の吸引を行う。
【００１１】
また、本実施形態では、診療台２の脇に、患者がうがいを行う際に用いるコップに対して水を供給する供給装置（スピットン装置）５が設けられている。この供給装置５には、各種機能部を内部に有するベースユニット５１、ベースユニット５１の上に設置され患者の口腔内から排出された廃液を受ける廃液受け部（ベースン）５２、廃液受け部５２の脇に設けられコップに対し水を供給するコップ用給水部５３、清掃用の水を廃液受け部５２に供給する清掃用給水部５４が設けられている。
【００１２】
さらに、本実施形態の供給装置５では、ベースユニット５１の内部に、廃液を収容する収容容器（サクションタンク）５５が設けられている。ここで、この収容容器５５には、上記吸引用器具（サクションシリンジ、サライバエジェクタ等）によって吸引された廃液（患者の口腔内から吸引された廃液）が収容される。
【００１３】
次に、図１においてドクター用のホルダ３２やアシスタント用のホルダ３３に保持される診療器具６に、例えば水等の液体を供給する液体供給系について説明する。
図２は、診療器具６に液体を供給する液体供給系９を説明するブロック図である。
図２に示すように、歯科用診療装置１における液体供給系９は、ポンプ等の液体供給源９１と、液体供給源９１の液体を診療器具６に接続されているチューブ７に供給する供給装置５の内部配管９２と、を含んで構成されている。また、液体供給系９は、上述したチューブ７を含んでもよく、診療器具６の一部を含んでも良い。内部配管９２からは、チューブ７、コップ用給水部５３および清掃用給水部５４に液体が供給される。
ここでチューブ７は、診療器具６ごとに接続されており、内部配管９２から複数のチューブ７の各々に液体が供給される。なお、診療器具６とチューブ７とは、例えば滅菌作業を行う際に分解される。
診療器具６のチューブ７は、液体だけが供給されるもののほか、液体およびエア（圧縮空気）が供給されるものがある。そのため、チューブ７には、少なくとも液体が供給されることから、後述する残留液体の交換作業が必要となる。
【００１４】
図３は、供給装置５に保持具８が設置された状態の一例を示す図であり、（ａ）はその斜視図、（ｂ）は側面図であり、チューブ７の一部又は全部を省略した状態で示す。保持具８は、保持部材の一例である。
図３に示す保持具８は、ドクター用のホルダ３２やアシスタント用のホルダ３３に保持される診療器具６を保持するための、歯科用診療器具保持具である。
ここで、保持具８は、歯科診療の際には例えばベースユニット５１に収容されており、図１に示すような歯科診療の状態では使用されない。実際に患者を診療する歯科診療以外のとき、例えば診察開始時間の前に、保持具８が供給装置５の廃液受け部５２に設置され、液体供給系９の例えば内部配管９２に残留している残留液体を排出し、新しい液体に替える作業が行なわれる。
【００１５】
図３では、保持具８の複数の貫通孔（後述）に、診療器具６（６１〜６５）が保持される。保持される診療器具６としては、先端部ごと保持される態様の他、先端部を外して継手部分が保持される態様がある。
残留液体を排出し新しい液体に替える作業では、図３に示すように、保持具８を廃液受け部５２に設置し、図１に示すドクター用のホルダ３２やアシスタント用のホルダ３３に保持されている診療器具６を、保持具８の予め定められた位置に挿す。そして、診療器具６からの残留液体は、廃液受け部５２から排出され、液体供給系９の液体交換が行われる。
このように、液体供給系９において液体供給源９１から内部配管９２に新規の液体を供給し残留液体を診療器具６等から排出する作業を行う場合に、保持具８が廃液受け部５２に設置される。なお、図３では、コップ用給水部５３からの残留液体を受ける水抜き用穴を持つコップ５３ａが置かれている。
本実施の形態では、廃液受け部５２の周囲を囲む縁部５２ａに保持具８が取り付けられることで、保持具８の廃液受け部５２への設置がなされる。なお、これに限られず、例えば廃液受け部５２の底部に載置するようにしても良い。
【００１６】
図４および図５は、保持具８の構成を説明する図であり、図４は斜視図、図５は平面図である。
図４および図５に示すように、保持具８は、上から見た平面視で略円弧形状であり、互いに同じ側に湾曲する円弧外周面８ａおよび円弧内周面８ｂを有し、湾曲した所定幅を有する帯状の領域を形成している。円弧外周面８ａは、保持具８（図３参照）を取り付けた廃液受け部５２の縁部５２ａの部分から離れる方向に凸の円弧外面を有する。これによって、後述する保持部（８１〜８５）を密集させ、保持具８の全体の大きさを小さくできるとともに、診療器具６を保持具８の比較的狭い領域にまとめることが可能である。円弧内周面８ｂは、コップ用給水部５３との干渉を避ける形状を有している（図３参照）。これにより、コップ用給水部５３に隣接させて保持具８を設置することができる。
【００１７】
また、保持具８は、上述した廃液受け部５２の縁部５２ａに取り付けるための取り付け部としての溝部８ｃを持つ。この溝部８ｃは、廃液受け部５２の形状に合わせて湾曲するように形成されている。この溝部８ｃの形状は、円弧外周面８ａとは向きが反対である。
【００１８】
保持具８は、診療器具６を保持するように形成された複数の保持部８１〜８５を持つ。保持部８１〜８５としては、同一形状のものや異なる形状のものを備えることが可能であり、図５に示す例では、保持部８１、８２はそれぞれ１個、保持部８３〜８５はそれぞれ２個ずつである。保持部８１〜８５は貫通孔で構成されている。
図５を参照すると、保持具８の上面８ｄは、円弧外周面８ａと円弧内周面８ｂとで形成される平面視で円弧形状の領域であり、この領域に保持部８１〜８５が複数列を形成して配置されている。すなわち、図５に示す例では、保持部８１〜８４は、Ｘ方向に３列、Ｙ方向に２列で配列されている。保持部８５は、Ｘ方向に関して保持部８１〜８４を間に挟むように配置されている。また、図５に示す例では、同様な機能を有する複数種類の診療器具６を保持する保持部８３〜８５は、診療器具６の取付けの容易性を図るために、保持具８の中心位置（例えば図５の線Ｂ−Ｂ）から均等な距離（保持部８３，８５）、共に中心位置（保持部８４）などとなるように配置されている。
【００１９】
保持部８１〜８５に形成される貫通孔は、上面８ｄから窪んで形成され複数の内径または内面形状を有している。この貫通孔は、後述するように、保持する診療器具６の周りを全周にわたって囲む内周面を有する。この貫通孔は、本実施の形態では、貫通方向に横断面形状が変化する段形状に形成されている。貫通孔は、円形状である場合のほか、円形状以外の例えば四角形状であっても良い。
また、保持具８は、柔軟性のある弾性材料により形成されている。保持具８自体は、複数の診療器具６を保持する程度の強度が必要であり、肉厚のブロック状にして必要な強度を確保する構造を採用している。
【００２０】
そして、保持具８の保持部８１〜８５は、診療器具６が取り付けられると、取り付けられた診療器具６の部分により弾性変形して保持する。すなわち、診療器具６が挿入されると、その外形に応じて保持部８１〜８５が弾性変形する。このような弾性変形は、後述する図６〜図１２に示すように、挿入された診療器具６の外形に応じて弾性変形する箇所に応じて保持部８１〜８５の肉厚を変えることで実現している。例えば図６に示す保持部８１，８３の各貫通孔にて、異なる内径の箇所にて肉厚が異なる部分を有する。
このような構成により、必要な強度を確保しつつ、診療器具６に密着し、しっかり保持する保持部８１〜８５を形成することが可能になる。さらに、診療器具６の形状が少し違っていても保持することが可能になる。
なお、本実施の形態では、保持具８の必要な強度を確保しつつ診療器具６の外形に応じた弾性変形を可能にするための構成として、肉厚を薄くしているが、これに代えてあるいはこれと共に切欠きを設けても良い。
【００２１】
また、保持部８１〜８５のうち保持部８３は、さらに保持具８の上面８ｄから円周状に突出する突出部８３ａを有する。
なお、図４には、２つの保持部８４の一方にアダプタ４１が設置されている。保持部８４の他方には、アダプタ４１あるいはアダプタ４１とは異なる形状のアダプタ４２を設置することができる（図８参照）。このアダプタ４１，４２は、保持する診療器具６の様々な形状に対応するために必要に応じて設置されるものである。アダプタ４１，４２の種類を増やすことで、より多くの形状に対応することが可能になる。図４に示すアダプタ４１の図示を、図５では省略している。
【００２２】
ここで、保持具８は、本実施の形態では、弾性材料として、シリコーンゴムを用いている。そして、保持具８は、コンプレッション成形により製造される。すなわち、保持具８は、同一材料で一体に成形されるものであり、複数部品を組み立てて製造するものではない。
なお、保持具８の上面８ｄに、保持部８１〜８５の各々が保持する診療器具６を識別可能なマークを付しても良い。
【００２３】
図６〜図１４は、保持具８の保持部８１〜８５を説明する断面図である。より具体的には、図６は、図５の線Ａ−Ａによる保持部８１，８３を図示する断面図であり、図７は、図６の断面図において診療器具６１，６３を保持した状態を示す図である。図８は、図５の線Ｂ−Ｂによる保持部８４を図示する断面図であり、図９は、図８の断面図において診療器具６４を保持した状態を示す図である。図１０は、図５の線Ｃ−Ｃによる保持部８２，８３を図示する断面図であり、図１１は、図１０の断面図において診療器具６２，６３を保持した状態を示す図である。図１２は線Ｄ−Ｄによる保持部８５および診療器具６３を図示する断面図である。図１３および図１４は、保持部８５で診療器具６５を保持した状態を部分的に破断して示す斜視図であり、図１３は、保持部８５で保持される診療器具６５の一例を示し、図１４は、保持部８５で保持される診療器具６５の他の例を示す。図１３と図１４とでは、診療器具６５の外形形状が互いに異なる。なお、図６〜図１４において、チューブ７（図１または図３参照）の図示を省略している。
以下、図６〜図１４の順に、保持部８１〜８５およびこれらに保持される診療器具６１〜６５について説明する。なお、本実施の形態における診療器具６１〜６５の各々は、上述した診療器具６の一例である。
【００２４】
図６に示すように、保持部８１は、Ｚ方向の中間位置にある縮径部８１ａと、その上側および下側にそれぞれ位置する内周面８１ｂ，８１ｃと、により形成された貫通孔を有する。上側の内周面８１ｂは、肉厚を縮径部８１ａや下側の内周面８１ｃよりも薄くし、変形し易いようにしている。
また、図６に示すように、突出部８３ａを持つ保持部８３は、Ｚ方向の中間位置にある縮径部８３ｂと、その上側および下側にそれぞれ位置する内周面８３ｃ，８３ｄと、により形成された貫通孔を有する。また、上側の内周面８３ｃには、突出部８３ａに対応する部分に大径部８３ｅが形成されている。これにより、他の部分よりも薄肉の突出部８３ａがさらに薄くなり、保持部８３が変形し易くなる。
【００２５】
図７に示すように、保持部８１に上から差し込まれる診療器具６１の端部ないし継手６１１は、大径先端部６１２と、大径先端部６１２よりも先端側に位置する小径先端部６１３と、を備える。
診療器具６１の大径先端部６１２は、保持部８１の内周面８１ｂに取り付けられて保持され、また、そのＺ方向の位置は、縮径部８１ａにより規定される。このように、診療器具６１は、大径先端部６１２で保持部８１に保持される。なお、小径先端部６１３は、保持部８１の縮径部８１ａおよび内周面８１ｃと密着しておらず、診療器具６１の抜き差しに伴う継手６１１への荷重を抑制している。また、抜き差しの際に継手６１１が保持部８１の縮径部８１ａまたは内周面８１ｂ，８１ｃに接したとしても、シリコーンゴムで形成されていることから、継手６１１に対する入力が軽減される。
【００２６】
また、保持部８３に上から差し込まれる診療器具６３の継手６３１は、大径先端部６３２と、大径先端部６３２よりも先端側に位置する小径先端部６３３と、を備える。保持部８３による診療器具６３の保持は、上述した保持部８１による診療器具６１の保持と同じであり、その説明を省略する。なお、保持部８３は突出部８３ａを備えることから、保持部８１の場合よりも長い距離での保持が可能になる。また、上述したように、保持部８３の入り口部分には大径部８３ｅが形成されていることから、診療器具６３を差し込み易い。
【００２７】
次に、図８および図９を用いて保持部８４に関して説明する。
図８に示すように、保持部８４には、互いに異なる形状のアダプタ４１，４２が設置可能である。
アダプタ４１は、Ｚ方向の中間位置にある縮径部４１１と、その上側および下側にそれぞれ位置する内周面４１２，４１３と、により形成された貫通孔を有する。アダプタ４２は、Ｚ方向の中間位置にある縮径部４２１と、その上側および下側にそれぞれ位置する内周面４２２，４２３と、により形成された貫通孔を有する。
【００２８】
図９に示すように、保持部８４のアダプタ４１に差し込まれる診療器具６４の継手６４１は、大径先端部６４２と、大径先端部６４２よりも先端側に位置する小径先端部６４３と、を備える。診療器具６４の大径先端部６４２は、アダプタ４１の内周面４１２で保持され、縮径部４１１によりＺ方向の位置が規定される。
保持部８４に設置されるアダプタ４２では、継手６４１の大径先端部６４２は、内周面４２２で保持され、縮径部４２１によりＺ方向の位置が規定される。
【００２９】
次に、図１０および図１１に示す保持部８２，８３のうち保持部８３については既に説明したので（図６および図７参照）、ここでは保持部８２について説明する。
図１０に示すように、保持部８２は、Ｚ方向の中間位置にある縮径部８２ａと、その上側および下側にそれぞれ位置する内周面８２ｂ，８２ｃと、により形成された貫通孔を有する。そして、図１１に示すように、診療器具６２における継手６２１の大径先端部６２２は、保持部８２の内周面８２ｂに取り付けられて保持され、また、そのＺ方向の位置は、縮径部８２ａにより規定される。
【００３０】
保持具８は、診療器具６１〜６５が取り付けられると、取り付けられた診療器具６１〜６５により弾性変形して診療器具６１〜６５を保持する。
また、保持具８の保持部８１〜８５は、診療器具６１〜６５が挿入されると、挿入された診療器具６１〜６５の外形に応じて弾性変形する。また、保持具８の保持部８１〜８５は、他の部分よりも変形し易く、診療器具６１〜６５と密着して保持する。
【００３１】
ここで、保持具８は保持部材の一例であり、歯科用診療装置１は歯科用診療装置の一例である。
液体供給系９は、歯科用診療装置に設けられた液体用管路の一例である。内部配管９２は、管路に液体を供給するための内部配管の一例である。
また、診療器具６１〜６５は、診療器具の一例である。チューブ７は、診療器具に接続された管路の一例である。
また、縮径部８１ａ，８２ａ，８３ｂ，４１１，４２１、内周面８１ｂ，８１ｃ，８２ｂ，８２ｃ，８３ｃ，８３ｄ，８５ａ，４１２，４１３，４２２，４２３は、貫通孔の一例である。
また、溝部８ｃは、取り付け部の一例である。円弧外周面８ａは、離れる方向に凸の円弧外面の一例である。廃液受け部５２は廃液受け部の一例であり、廃液受け部５２の縁部５２ａは、縁部の一例である。
【００３２】
次に、保持部８５について、図１２、図１３、図１４および図３〜図５を用いて説明する。
保持部８５は、例えば図１２に示す内周面８５ａを有し、この内周面８５ａにより保持具８の貫通孔が形成されている。内周面８５ａは、診療器具６５（図３参照）を保持するためのものである。
この内周面８５ａは、図４または図５に示すように、Ｙ方向の位置が互いに異なる内周部分８５ｂ，８５ｃを含む。すなわち、内周部分８５ｃは、内周部分８５ｂよりも円弧内周面８ｂ寄りに位置し、上面８ｄとの境界がＹ方向に関して互いに異なる。このため、保持部８５の内部空間を内周部分８５ｂ側の空間と内周部分８５ｃ側の空間とに分けた場合、両者の広さが異なり、内周部分８５ｂ側の空間よりも内周部分８５ｃ側の空間の方がＹ方向に長い。
なお、保持部８５は、直線状に形成された保持部８１〜８４とは異なり、曲がり形状の部分を持つ診療器具６５と密着するために、Ｚ方向の中間位置に折れ曲がるように形成されている。
【００３３】
図１３に示す２つのレバー６５１，６５２は、押し込むことで操作される。より詳細には、レバー６５１は、押し込む操作がなされると診療器具６５から液体が排出される操作部であり、レバー６５２は、押し込む操作がなされると診療器具６５からエアが吐出される操作部である。
【００３４】
このレバー６５１，６５２を持つ診療器具６５を保持部８５が保持する場合について説明する。
診療器具６５が保持部８５に保持されると、レバー６５１は内周面８５ａの内周部分８５ｂ側に位置し、レバー６５２は内周部分８５ｃ側に位置する。レバー６５１が内周部分８５ｂに当たり、もう一つのレバー６５２は、内周部分８５ｂにも内周部分８５ｃ（図５参照）にも当たらない。
そして、診療器具６５が保持部８５に取り付けられて保持されると、レバー６５２が内周部分８５ｂにより押されて診療器具６５から液体が排出される。その一方で、レバー６５２は、内周面８５ａに接触せず、押されないことから、診療器具６５からエアは吐出されない。
このため、診療器具６５を保持部８５に取り付けると、液体用のレバー６５１が操作されて診療器具６５から液体が排出され、診療器具６５から液体を排出する作業を容易に行うことができる。また、その際に、診療器具６５からエアが出ないことから、液体がエアにより散らばって周囲を汚してしまう事態を防止できる。
【００３５】
ここで、診療器具６５のレバー６５１は第１レバーの一例であり、レバー６５２は第２レバーの一例である。また、内周部分８５ｂ、８５ｃを持つ内周面８５ａは、診療器具が保持部に挿入されると第１レバーを操作する一方で第２レバーを操作しない形状の内面の一例である。
【００３６】
次に、保持部８５により、図１４に示すレバー６５１を持つ診療器具６５が保持される場合について説明する。
診療器具６５のレバー６５１は、液体排出用のものである。診療器具６５が保持部８５に保持されると、レバー６５１は、内周面８５ａの内周部分８５ｂにより押され、液体が排出される。
【００３７】
次に、溝部８ｃの形状について説明する。
溝部８ｃは、入り口側よりも奥側が広くなるような凹形状に形成されている。より詳細には、例えば図１４に示すように、溝部８ｃのＺ方向下側が廃液受け部５２の縁部５２ａが入る入り口側であり、縁部５２ａが奥側まで入り込んで縁部５２ａに引っ掛けられる。そして、入り口側の開口長さＷ１と奥側の内部長さＷ２を比べると、奥側の内部長さＷ２の方が入り口側の開口長さＷ１よりも長い。
このように、廃液受け部５２の縁部５２ａが、保持具８において広めに形成された溝部８ｃの奥側に至ることで、保持具８が廃液受け部５２に取り付けられる。
【００３８】
さらに説明すると、本実施の形態のように、保持具８が凹形状の部分で廃液受け部５２の凸形状の部分を受ける構造を採用する場合、廃液受け部５２への引っ掛けに懸念が生じる。すなわち、廃液受け部５２が陶器製で縁部５２ａの形状寸法に比較的大きなばらつきがある場合、溝部８ｃの奥側が入り口側と同じ幅であったり狭い幅であったりすると、廃液受け部５２への引っ掛けを確実に行うことが困難になるおそれがある。
そこで、本実施の形態では、溝部８ｃの奥側が入り口側よりも広い幅とすることで、廃液受け部５２の縁部５２ａの形状寸法にばらつきが生じたり縁部５２ａの位置によって溝部８ｃの厚さが不均一であったりするような場合でも、廃液受け部５２への引っ掛けを確実に行うことを可能にしている。
付言すると、このような溝部８ｃの横断面形状は、溝部８ｃの長さ方向に関して同一に形成されているが、部分的に形状を変更しても良い。
【００３９】
ここで、本実施の形態では、図３（ａ）に示すように、保持具８を廃液受け部５２の縁部５２ａに引っ掛けた場合、保持具８は、廃液受け部５２に対して斜めに取り付けられるようになっている。言い換えると、同図（ｂ）に示すように、保持具８の上面８ｄが傾斜した状態になる。このような構成を採用する理由を説明する。
保持具８の保持部８１〜８４は、上面８ｄに対して略垂直に形成されている（図６、図８、図１０参照）。このため、診療器具６１〜６４は、上面８ｄに対して略垂直な状態で保持部８１〜８４に保持される（例えば図７参照）。仮に、保持具８の上面８ｄが斜めではなく水平になるように廃液受け部５２に取り付けられる場合、診療器具６１〜６４に接続されているチューブ７は根元で強く折れ曲がってしまう。そのため、長期に亘る使用によりチューブ７が痛んで部品としての寿命が短くなるおそれがある。
そこで、本実施の形態では、保持具８を廃液受け部５２に斜めに取り付けることで、保持具８に保持されている診療器具６１〜６４が斜めになるようにし、これにより、保持具８に保持される状態でチューブ７にかかる負荷を軽減し、チューブ７の製品寿命が短くなることを防止している。
付言すると、保持具８において、診療器具６１〜６４の差込口（保持部８１〜８４）を上面８ｄに対して垂直にすることで、差込口を上面８ｄに対して斜めにする場合に比べ、保持具８の小型化に貢献できる。
【００４０】
このように、本実施の形態では、残留液体の交換作業を行う際に廃液受け部５２に設置される保持具８は、診療器具６１〜６５が保持部８１〜８５に取り付けられると弾性変形して診療器具６１〜６５を保持するように構成されている。このため、保持部８１〜８５に診療器具６１〜６５を挿入することで診療器具６１〜６５がより確実に保持され、残留液体排出のための作業性の向上を図ることができる。
【符号の説明】
【００４１】
１…歯科用診療装置、７…チューブ、８…保持具、８ａ…円弧外周面、８ｃ…溝部、９…液体供給系、５２…廃液受け部、５２ａ…縁部、９２…内部配管、６１〜６５…診療器具、８１ａ，８２ａ，８３ｂ，４１１，４２１…縮径部、８１ｂ，８１ｃ，８２ｂ，８２ｃ，８３ｃ，８３ｄ，８５ａ，４１２，４１３，４２２，４２３…内周面、６５１，６５２…レバー
【図１】
2019180860.tif 000003
【図２】
2019180860.tif 000004
【図３】
2019180860.tif 000005
【図４】
2019180860.tif 000006
【図５】
2019180860.tif 000007
【図６】
2019180860.tif 000008
【図７】
2019180860.tif 000009
【図８】
2019180860.tif 000010
【図９】
2019180860.tif 000011
【図１０】
2019180860.tif 000012
【図１１】
2019180860.tif 000013
【図１２】
2019180860.tif 000014
【図１３】
2019180860.tif 000015
【図１４】
2019180860.tif 000016